(57)【要約】【課題】  ゴミ等の除去効率とフィルタの目を通過した水の採取効率の双方が良好な取水装置用フィルタ及びそれを用いた取水装置の提供。【解決手段】  採取した水を流通させる傾斜面に装着し、採取する水に混入したゴミを除去する格子構造のフィルタであって、前記格子構造は、複数の横架部材１の各々を間隙２を隔てて相互に平行に配した構成を有し、各横架部材１が、隣接する横架部材１の間に形成される間隙２を下拡がりとする一様な断面形状を有する取水装置用フィルタ。【選択図】      図２
0003123561.tif 000002
【実用新案登録請求の範囲】
【請求項１】
採取した水を流通させる傾斜面に装着し、採取する水に混入したゴミを除去する格子構造のフィルタであって、
前記格子構造は、複数の横架部材（１）の各々を間隙（２）を隔てて相互に平行に配した構成を有し、
各横架部材（１）が、隣接する横架部材（１）の間に形成される間隙（２）を下拡がりとする一様な断面形状を有する取水装置用フィルタ。
【請求項２】
前記格子構造が、前記フィルタの表面に、隣接する横架部材（１）の間隙（２）を挟んで最も近接する縁部（３，４）を以って当該フィルタの傾きに倣った段差（５）を形成し、且つ、
当該段差（５）は、前記間隙（２）を挟んで隣接する下流側の縁部（４）が上流側の縁部（３）に比べて表面側へ相対的に突出した段差（５）を形作る角度で各横架部材（１）を支持して構成される前記請求項１に記載の取水装置用フィルタ。
【請求項３】
前記横架部材（１）が金属製の線材であり、前記間隙（２）の最短幅（ａ）が当該線材の最短占有幅（ｂ）より短い前記請求項１又は請求項２のいずれかに記載の取水装置用フィルタ。
【請求項４】
水源から取入口（６）を経て取り入れた水を溜める貯水部（７）と、当該貯水部から溢れた水を自然落下により流通させる傾斜面に前記請求項１乃至請求項３のいずれかに記載の取水装置用フィルタ（８）が装着されたろ過部（９）と、当該ろ過部（９）の下位において前記フィルタ（８）の前記間隙（２）を通過した水を溜め排水口（１０）を経てろ過した水を排出する受水部（１１）とを具備する取水装置。
【考案の詳細な説明】
【技術分野】
【０００１】
本考案は、融雪用水や農業用水等の確保に用いる取水装置に関するものであって、特に、採取した水に混入するゴミ等の除去を行う際に用いるフィルタに関する。
【背景技術】
【０００２】
地下水の汲み上げによる地盤沈下の回避はもとより、貴重な水を有効に利用すべく、融雪用水や農業用水等の確保にあっては、最寄りの河川から採取すべきとの要請がある。しかしながら、河川からポンプ等で採取した水には、ゴミ等が混入している為に、融雪装置にあっては、路上へ水を噴出する孔や配管の詰まり、或いは融雪箇所の汚れが生じ、農業用水として用いるに際しては、圃場や畑の汚れる等、取水の目的達成を阻害すると言う問題があった。
【０００３】
そこで、かかる問題を解決すべく、採取する水又は採取した水からゴミ等を除去するスクリーン或いはフィルタと呼ばれるモノを設置した取水装置が種々案出されている（例えば、特許文献１乃至特許文献５参照）。
【０００４】
例えば、ゴミ等が混入した水をフィルタが装着された傾斜面に流通させ、当該フィルタに掛かったゴミ等を当該傾斜で誘導落下させる構造を具備した取水装置が、特許文献１乃至特許文献４に開示されており、そのうち、水を流通させる傾斜面に装着するフィルタの形状にあっては、特許文献１及び特許文献２に開示されている。また、フィルタの目の構造にあっては、ゴミ等の排除形態は異なるものの特許文献５に幾つか開示されている。
【０００５】
【特許文献１】特開２００４−１８３２９２号公報
【特許文献２】特開２００３−６４６３９号公報
【特許文献３】特公昭６２−１１１２３号公報
【特許文献４】特開２０００−７３４１４号公報
【特許文献５】特開２００４−６０３７４号公報
【考案の開示】
【考案が解決しようとする課題】
【０００６】
しかしながら、前記従来の取水装置において用いられたフィルタは、水が通過する目に生じる表面張力等により、ゴミ等を分別し、傾斜と流水の勢いを以って収集・除去するに際して、フィルタの目を通過した水の採取効率が低いという問題があった。
【０００７】
本考案は、上記実情に鑑みて為されたものであって、ゴミ等の除去効率とフィルタの目を通過した水の採取効率の双方が良好な取水装置用フィルタ及びそれを用いた取水装置の提供を目的とする。
【課題を解決するための手段】
【０００８】
上記課題を解決する為になされた本考案による取水装置用フィルタは、採取した水を流通させる傾斜面に装着し、採取する水に混入したゴミを除去する格子構造のフィルタであって、前記格子構造は、複数の横架部材の各々を間隙を隔てて相互に平行に配した構成を有し、各横架部材が、隣接する横架部材の間に形成される間隙を下拡がりとする一様な断面形状を有することを特徴とする。
【０００９】
前記間隙への流水の誘導効率を高めるべく、前記格子構造が、前記フィルタの表面に、隣接する横架部材の間隙を挟んで最も近接する縁部を以って当該フィルタの傾きに倣った段差を形成し、且つ、当該段差は、前記間隙を挟んで隣接する下流側の縁部が上流側の縁部に比べて表面側へ相対的に突出した段差を形作る角度で各横架部材を支持して構成される構成を採ることもできる。
【００１０】
フィルタを構成する横架部材の弾性・振動を利用して前記間隙への流水の誘導効率を高めるべく、前記横架部材が金属製の線材であり、場合に応じて、前記間隙の最短幅が当該線材の最短占有幅より短い構成を採っても良い。
【００１１】
これらのフィルタを用いた本考案による取水装置としては、水源から取入口を経て取り入れた水を溜める貯水部と、当該貯水部から溢れた水を自然落下により流通させる傾斜面に前記取水装置用フィルタのいずれかが装着されたろ過部と、当該ろ過部の下位において前記フィルタの目を通過した水を溜め排水口を経てろ過した水を排出する受水部とを具備する取水装置が挙げられる。
【考案の効果】
【００１２】
本考案による取水装置用フィルタ、及び当該フィルタを用いた取水装置によれば、当該フィルタを構成する各横架部材が、隣接する横架部材の間に形成される間隙を下拡がりとする一様な断面形状を有する構造によって、当該間隙の上端に接した水分を効率的に下位に誘導できる。
【００１３】
更に、前記格子構造が、前記フィルタの表面に、前記間隙を挟んで隣接する横架部材の最も近接する縁部を以って当該フィルタの傾きに倣った段差を形成し、且つ、当該段差は、前記間隙を挟んで隣接する下流側の縁部が上流側の縁部に比べて表面側へ相対的に突出した段差を形作る角度で各横架部材を支持される構成が加われば、前記の如く、フィルタの裏側に向かって末広がりとなった間隙を構成する下位の横架部材の下面とフィルタ面に対して鈍角の迎え角が形成されることから、当該段差によって前記間隙への流水の誘導効率を高めることが出来る。
【００１４】
また、前記横架部材として金属製の線材を用いることによって、フィルタを構成する横架部材の弾性・振動を利用して前記間隙への流水の誘導効率を高めることができ、場合に応じて、前記間隙の最短幅が当該線材の最短占有幅より短い構成を採ることによって、フィルタ上におけるゴミ等の流通を円滑化することが出来る。
【００１５】
また、これらのフィルタを用いた本考案による取水装置を使用することによって、実用レベルにゴミ等が除去された水を、種々の水源から効率よく採取することができる。
【考案を実施するための最良の形態】
【００１６】
以下、本考案による取水装置、及び当該取水装置用フィルタの実施の形態を、図面に基き説明する。
【００１７】
図に示す取水装置は、水源から取入口６を経て取り入れた水を溜める貯水部７と、当該貯水部７から溢れた水を自然落下により流通させる傾斜板１２にフィルタ８が装着されたろ過部９と、当該ろ過部９の下位において前記フィルタ８の前記間隙２を通過した水を溜め排水口１０を経てろ過した水を排出する受水部１１とを具備して構成される。
【００１８】
当該例は、正面及び上方から見た姿が方形状であり（図５（Ａ）（Ｂ）参照）、側面から見た姿（図１参照）が僅かに縦長の直角三角形状を呈している箱状フレームの内部に、前記貯水部７、ろ過部９、及び受水部１１を形作り、前記貯水部７から取入口６を引き出し、前記受水部１１から排水口１０を引き出したものである。
【００１９】
前記貯水部７は、略垂直に起立した背板１３に面した上位に設定され、前記ろ過部９は、表板１４に倣って設定され、前記受水部１１は、当該傾斜板１２の全体に面し、且つ前記貯水部７の下方へ入り込む形で設定されている。かかる配置により、受水部１１の上位と貯水部７とを仕切る中板１５が貯水部７の前方を仕切る隔壁となり、異物の沈殿が行われて当該中板１５を越えてオーバーフローした水が前記ろ過部９を流通することとなる。受水部１１に落下した水は、底板１６に設けられた前記排水口１０を経て実用に供されることとなる。
【００２０】
前記ろ過部９は、前記表板１４から、所定の流水量が見込める間隔だけ離隔した位置に傾斜板１２を設定し、当該傾斜板１２の中間部に、前記受水部１１に通じる方形状の採水口１７を設け、当該採水口１７を覆う状態でフィルタ８を固定して成る。
【００２１】
前記ろ過部９を構成するフィルタ８は、複数の横架部材１の各々を間隙２を隔てて相互に平行に配した格子構造を有する。各横架部材１は、一様な三角形状の断面形状を有する三角柱状を呈し、全ての横架部材１の対応する面が相互に平行面となる様に設定されている結果、隣接する横架部材１の間に形成される間隙２が全て一様に下拡がりとなる（図２乃至図４参照）。
【００２２】
また、これらの横架部材１は、縦に複数平行に配設された直線的な（場合によっては、フィルタ全体が流水方向に対して僅かに湾曲（凹凸何れでも良い。）させる構成も可能である。）サポートロッド１８へ溶着等により支持され、その結果、形作られるフィルタ８の表面に、隣接する横架部材１の間隙２を挟んで最も近接する縁部３，４を以って、当該フィルタ８の傾きに倣った段差５が形成される。当該段差５は、前記間隙２を挟んで隣接する下流側の縁部４が上流側の縁部３に比べて表面側へ相対的に突出した段差５を形作る一様な角度で各横架部材１を支持して構成される（図３参照）。
【００２３】
この様な横架部材１の形状及び支持態様により、フィルタ８の表面側は、前記三角形状の断面を有する各横架部材１の一面のみが露出する形で比較的平坦な様相を呈し、一方、同フィルタ８の裏面側は、各横架部材１の他の二面で形作られる先細りの尾根が複数平行に形成される。当該フィルタ８の裏面側に形成された複数の尾根各々の間には、それらの先細り形状に倣い表側から裏側に向かって幅広くなる前記間隙２が形成される。
【００２４】
当該間隙２の形状は、当該間隙２の最も表側を通過した水の表面張力による滞りを防止し、当該間隙２における水の流通を良好に保つ働きをする。また、各横架部材１の尾根の頂端に良好に送られた水は、その先細り形状によって滑らかに落下し、当該間隙２における水流を促進する役割を果たす。
【００２５】
更に、前記フィルタ８の表面側に形成された段差５にあっては、前記の如く、フィルタ８の裏側に向かって末広がりとなった間隙２を構成する相隣接した横架部材１，１のうち、下位の横架部材１の上流側下面１Ｆとフィルタ８の表面８Ｆとで鈍角の迎え角θが形成されることで、当該下位の横架部材１の上流側の縁部４が、フィルタ８の上を流通する水を削り取る作用（図４参照）を奏することで、隣接する横架部材１，１の間に形成された前記間隙２への流水の誘導効率を高めることとなる。
【００２６】
また、前記横架部材１として、先に記した形状の断面を有する金属製の線材（ワイヤー）を用いることによって、フィルタ８を構成する横架部材１の弾性・振動を利用して前記間隙２への流水の誘導効率を高めることができ、場合に応じて、前記間隙２の最短幅ａが当該線材の最短占有幅ｂより短い構成を採ることによって、フィルタ８上におけるゴミ等の流通を円滑化することが出来る。
【００２７】
尚、当該例における前記間隙２の最短幅ａは、約０．８ｍｍであり、線材の最短占有幅ｂは、約２．４ｍｍであり、全体の断面形状としては、前記効果を得やすい正三角形を採用したが、上記作用を得る事が出来る範囲において、各寸法や横架部材１の断面形状を四角形その他の異形状等に適宜変更し得ることは言うまでもない。
【００２８】
また、これらのフィルタ８を用いた取水装置を使用することによって、実用レベルにゴミ等が除去された水を、種々の水源から効率よく採取することができる。
【産業上の利用可能性】
【００２９】
本考案は、最寄りの水源からゴミ等の混入の少ない水を効率よく採取できるので、農業用水、工業用水、火災時における消火用水、積雪の多い地方にあっては融雪用水の安定供給、及びこれらを供給する際に用いられるポンプ等の故障防止に寄与する。
【図面の簡単な説明】
【００３０】
【図１】本考案による取水装置の一例の概略を示した縦断面図である。
【図２】本考案による取水装置用フィルタの一例の構造及び作用を示した正面及び側面から観た概略図である。
【図３】本考案による取水装置用フィルタの一例の構造及び作用を示した側面から観た拡大図である。
【図４】本考案による取水装置用フィルタを構成する横架部材の一例の構造及び作用を示した側面から観た拡大図である。
【図５】本考案による取水装置の一例の概略を示した正面図及び平面図である。
【符号の説明】
【００３１】
１  横架部材，２  間隙，３  縁部（上位の横架部材），４  縁部（下位の横架部材），
５  段差，６  取入口，７  貯水部，８  フィルタ，９  ろ過部，１０  排水口，
１１  受水部，１２  傾斜板，１３  背板，１４  表板，１５  中板，１６  底板，
１７  採水孔，１８  サポートロッド，
【図１】
0003123561.tif 000003
【図２】
0003123561.tif 000004
【図３】
0003123561.tif 000005
【図４】
0003123561.tif 000006
【図５】
0003123561.tif 000007